(57)【要約】【課題】水晶発振器等の携帯無線機の基準周波数信号発生源の経年変化に伴う周波数変動を、簡便な方法で調整することを可能にした携帯無線機及び充電器を提供する。【解決手段】充電器に高安定度の発振器（例、ＯＣＸＯ）を内蔵し、携帯無線機内蔵バッテリィ充電の際に、ＯＣＸＯ発振信号と携帯無線機内蔵の局部発振信号とを比較し、両者の周波数誤差が零になるように局部発振器を制御する。【選択図】図２
2008187542.tif 000002
【特許請求の範囲】
【請求項１】
少なくとも送信部又は受信部の高周波信号発生源としての局部発振手段とバッテリィを内蔵した携帯無線機において、前記バッテリィへの充電に際し充電器に載置又は接続されたことを検知する充電検知手段と、充電器に内蔵又は付加された基準信号発生手段から出力される基準信号を受信する基準信号受信手段と、受信した基準信号周波数に前記局部発振手段の出力周波数を一致若しくは近似させる局部発振周波数補正手段と、を備えたことを特徴とする携帯無線機。
【請求項２】
前記充電検知手段が、バッテリィ電圧の上昇を検知するバッテリィ電圧検知手段、バッテリィ充電用端子への印加電圧の有無を検知する充電電圧検知手段、充電器に付加された磁性部材への接近検出手段、充電器の凹部に装着した際に付勢される充電スイッチ手段のいずれかであり、且つ、前記充電検知手段によって携帯無線機が充電中であることを検出したとき自動的に前記局部発振周波数補正手段を起動させる手段、又は、前記局部発振周波数補正手段を起動させる手動操作スイッチ手段を備えたことを特徴とする請求項１記載の携帯無線機。
【請求項３】
前記局部発振周波数補正手段は、前記局部発振手段出力信号、又は充電器から受信する基準信号の一方又は両方を逓倍若しくは分周することによって、両者の周波数レンジを一致させる逓倍／分周手段を備えたことを特徴とする請求項１又は２記載の携帯無線機。
【請求項４】
前記局部発振周波数補正手段は、充電器から取得する基準信号と局部発振手段として備えた電圧制御発振器の出力信号との周波数又は位相を比較して両者の差に応じた信号を発生する位相比較手段と、該位相比較手段の出力から直流成分を取り出すループフィルタ手段と、該ループフィルタ出力を前記電圧制御発振器の周波数制御信号として供給する手段とを含むフェーズロックループ手段を備えると共に、該フェーズロックループが同期した状態における前記ループフィルタ出力の周波数制御信号情報を記憶する周波数制御電圧情報メモリ手段を備えたことを特徴とする請求項１乃至３の何れか一項に記載の携帯無線機。
【請求項５】
請求項１乃至４の何れか一項に記載の携帯無線機に内蔵されたバッテリィに充電するための充電器において、バッテリィに充電電力を発生する充電回路と、該携帯無線機の局部発振手段の発振周波数を補正するための基準周波数信号を発生する基準信号発生手段とを備えたことを特徴とする充電器。
【請求項６】
請求項５記載の充電器において、前記基準信号発生手段が恒温槽型水晶発振器（ＯＣＸＯ）であることを特徴とする充電器。
【請求項７】
請求項５又は６記載の充電器において、前記基準信号発生手段から基準周波数信号を前記携帯無線機に伝達する手段が、微弱無線信号発生手段、充電電流に重畳して送出する手段、充電用端子に直流カット素子を介して供給する手段、基準信号専用端子により供給する手段のいずれかであることを特徴とする充電器。
【発明の詳細な説明】
【技術分野】
【０００１】
本発明は、携帯無線機及びそのバッテリィの充電器に関し、詳しくは携帯無線機の局部発振器の発振周波数補正機能を備えた無線機及び充電器に関する。
【背景技術】
【０００２】
近年、業務用陸上移動無線通信機（Land Mobile Radio：ＬＭＲ）は周波数利用効率の観点から一チャネルあたりの周波数帯域の狭帯域化やデジタル化が進められている。デジタル化に際しては、既存のアナログ方式の無線通信機との共存や既設備の流用、制御の容易さ等からＦＭ変調方式の周波数シフトキーイング方式（Frequency Sift Keying：ＦＳＫ）を使用した周波数分割多重方式（Frequency Division Multiple Access：ＦＤＭＡ）、あるいは位相を変化させる位相シフトキーイング方式（Phase Sift Keying：ＰＳＫ）が採用される場合が多い。周波数変調手段、位相変調手段としては、例えば、電圧制御発振器（Voltage Controlled Oscillator：ＶＣＯ）や、水晶振動子を周波数発振源とする温度補償水晶発振器（Temperature Compensated Crystal Oscillator、なおＣｒｙｓｔａｌをＸ’ｔａｌと表記することがあるのでＴＣＸＯと云う）、電圧制御型温度補償水晶発振器（Voltage Controlled Temperature Compensated Crystal Oscillator：ＶＣ−ＴＣＸＯ）の周波数制御信号に、伝送すべきデータや音声信号を重畳することによって、周波数偏移や位相偏移を与えるようにしている。
【０００３】
また、無線受信機では、受信した高周波信号を、それより低い中間周波数信号に変換して十分なレベルに増幅した上で、搬送波信号に重畳されたデータを検波するスーパヘテロダイン方式を採用する場合が多く、そのために局部発振器を備えている。更に、送信機能と受信機能を備えた無線機では、送信電波発生源としての発振器と受信用の局部発振器を一つの発振器で共用するのが一般的である。
更に、複数の通信チャネルを切替えて使用する場合は、例えば図８に示す携帯無線機８０のように、マイクロコンピュータ（マイコンと略称する）やＤＡコンバータ等により周波数制御信号を発生する電圧制御手段８１と、その制御信号により発振周波数をコントロールするＶＣ−ＴＣＸＯ８２と、発生した基準周波数信号に基づいて送信処理や受信処理を行なう送受信回路（ＴＲＸ）８３を備えるように構成するのが一般的である。なお、上記電圧制御手段８１とＶＣ−ＴＣＸＯ８２として、周波数切り替え機能を備えたフェーズロックループ（Phase Locked Loop：ＰＬＬ）回路や、ループ中に可変分周器を備えて発振周波数を切替え可能にしたＰＬＬシンセサイザを使用することが多い。
【０００４】
一方、これらの基準発振器には上述したように周波数安定度に優れた水晶発振器が使用されるが、長期間の使用中には経年変化によって少しずつ周波数が変動する場合があるので、定期的に周波数のチェックや調整が必要である。これらの周波数チェックは、図９に示すように、携帯無線機８０の送信出力信号を周波数カウンタ等の設備８４に、同軸ケーブル８５を介して供給し、その周波数を測定する必要があった。
また、上述したような狭帯域化やデジタル化が進む現在の通信方式における周波数補正手段として、特許文献１が知られている。これは、水晶発振器の経年変化に対応する周波数制御手段に関するもので、高精度に周波数制御された基地局から送信される電波を受信・検波して得たベースバンド信号に含まれる周波数誤差を取り出して、その誤差情報に基づいて、ＰＬＬ発振回路のＶＣＸＯの周波数制御信号を補正するとともに、その後の周波数制御のために、周波数制御信号情報をメモリしておくものである。なお、受信検波信号中に含まれる周波数誤差情報としては、この例に限らないが例えば、受信検波信号に含まれる既知のフレーム同期ワードを検出する際の、フレーム同期ワード候補のデータと、既知のフレーム同期ワードデータとのずれを検出すれば、周波数誤差情報を得ることができる。
【特許文献１】特開２００１−１８６２０５公報
【発明の開示】
【発明が解決しようとする課題】
【０００５】
しかしながら、上述した図９に示すような従来の周波数調整方法では、高価な周波数カウンタ等の装置が必要であるばかりでなく、メンテナンスセンタのように測定器が整備され、しかも、専門の知識を備えたメンテナンス担当者が存在する場所に調整対象機器を搬入した上で行なう必要があったので、手間と時間を必要とするものであった。また、定期的なメンテナンスでは、そのインターバル期間に、通信不能状態にならない程度の周波数変動が発生しても、操作者は気がつかずに使用する場合が多いが、その結果、実質的な通信品質が低下した状態で使用することになる。即ち、狭帯域化が進むと、僅かな周波数ずれによっても、実質的に受信感度が低下したものとなるので、十分な着信電界強度環境であっても、通信品質が低下した状態での運用を強いられるものとなっていた。
【０００６】
なお、周波数安定度が極めて高い発振器として、内部温度を一定に保った恒温容器（槽）内にＴＣＸＯを収納した発振器（Oven Controlled Crystal Oscillator：ＯＣＸＯ）が存するが、ＯＣＸＯは容器内を通常温度より高温の所定温度に一定に保つために相当の電力を必要とする上、形状も大きいので、携帯無線機への内蔵には不向きであった。また、携帯電話システムのように基地局から極めて正確に周波数制御管理された制御チャネル信号が常時送信されるシステムでは、これらの信号周波数に携帯無線機に内蔵するＰＬＬ発信回路の周波数を同期させる方法があるが、回路構成が複雑になる欠点がある他、ＬＭＲでは、常時送信される制御チャネルが存在しないシステムも多く存在するので、必ずしも常に採用できるものではない。
本発明は、これらの事情に鑑みてなされたものであって、日常、無線機を使用する状況において、何等操作者に負担を強いることなく、自動的にあるいは手動で、基準信号発生源の周波数を正確に設定できるようにした携帯無線機及び充電器を提供することを目的としている。
【課題を解決するための手段】
【０００７】
本発明はかかる課題を解決するために、請求項１記載の携帯無線機は、少なくとも送信部又は受信部の高周波信号発生源としての局部発振手段とバッテリィを内蔵した携帯無線機において、このバッテリィへの充電に際し充電器に載置又は接続されたことを検知する充電検知手段と、充電器に内蔵又は付加された基準信号発生手段から出力される基準信号を受信する基準信号受信手段と、受信した基準信号周波数に前記局部発振手段の出力周波数を一致若しくは近似させる局部発振周波数補正手段と、を備えたことを特徴としている。
請求項２記載の発明では、請求項１記載の携帯無線機において、その充電検知手段が、バッテリィ電圧の上昇を検知するバッテリィ電圧検知手段、バッテリィ充電用端子への印加電圧の有無を検知する充電電圧検知手段、充電器に付加された磁性部材への接近検出手段、充電器の凹部に装着した際に付勢される充電スイッチ手段のいずれかであり、且つ、充電検知手段によって携帯無線機が充電中であることを検出したとき自動的に上記局部発振周波数補正手段を起動させる手段、又は、上記局部発振周波数補正手段を起動させる手動操作スイッチ手段を備えたことを特徴としている。
【０００８】
請求項３記載の発明では、請求項１又は２記載の携帯無線機において、その局部発振周波数補正手段は、上記局部発振手段出力信号、又は充電器から受信する基準信号の一方又は両方を逓倍若しくは分周することによって、両者の周波数レンジを一致させる逓倍／分周手段を備えたことを特徴としている。
請求項４記載の発明では、請求項１乃至３の何れか一項に記載の携帯無線機において、その局部発振周波数補正手段は、充電器から取得する基準信号と局部発振手段として備えた電圧制御発振器の出力信号との周波数又は位相を比較して両者の差に応じた信号を発生する位相比較手段と、この位相比較手段の出力から直流成分を取り出すループフィルタ手段と、このループフィルタ出力を前記電圧制御発振器の周波数制御信号として供給する手段とを含むフェーズロックループ手段を備えると共に、このフェーズロックループが同期した状態における前記ループフィルタ出力の周波数制御信号情報を記憶する周波数制御電圧情報メモリ手段を備えたことを特徴としている。
【０００９】
請求項５記載の発明は、請求項１乃至４の何れか一項に記載の携帯無線機内蔵されたバッテリィに充電するための充電器に関するもので、バッテリィに充電電力を発生する充電回路と、携帯無線機の局部発振手段の発振周波数を補正するための基準周波数信号を発生する基準信号発生手段とを備えたことを特徴としている。
請求項６記載の発明は、請求項５記載の充電器において、上記基準信号発生手段が恒温槽型水晶発振器（ＯＣＸＯ）であることを特徴としている。
請求項７記載の発明は、請求項５又は６記載の充電器において、上記基準信号発生手段から基準周波数信号を前記携帯無線機に伝達する手段が、微弱無線信号発生手段、充電電流に重畳して送出する手段、充電用端子に直流カット素子を介して供給する手段、基準信号専用端子により供給する手段のいずれかであることを特徴としている。
【発明の効果】
【００１０】
本発明は上述したように、充電器にＯＣＸＯのように周波数安定度が優れた発振器を内蔵しておき、携帯無線機内蔵のバッテリィを充電する際に、充電器からＯＣＸＯの発信信号を携帯無線機に取り込み、その周波数と携帯無線機内蔵の高周波信号発生源としての局部発振器の出力信号の周波数と比較し、両者の誤差が無くなるように携帯無線機の局部発振器を制御するように構成したので、操作者には何等負担を強いることなく自動的に、又は必要に応じて手動により、携帯無線機の局部発振器出力を補正して、発振周波数を常に正確に保つことが可能となる。
即ち、請求項１記載の発明では、携帯無線機において、充電器に載置又は接続されたことを検知する充電検知手段と、充電器から送出される基準信号を受信する基準信号受信手段と、受信した基準信号周波数に前記局部発振手段の出力周波数を一致若しくは近似させる局部発振周波数補正手段と、を備えたので、特別に高価な回路や装置を必要とすることなく、既存の構成に簡単な機能を付加するのみで、充電器から送出される基準周波数信号に、携帯無線機が内蔵する発振器の周波数を一致させることが可能となる。
【００１１】
請求項２記載の発明では、請求項１記載の携帯無線機において、その充電検知手段として、バッテリィ電圧の上昇を検知するバッテリィ電圧検知手段、バッテリィ充電用端子への印加電圧の有無を検知する充電電圧検知手段、充電器に付加された磁性部材への接近検出手段、充電器の凹部に装着した際に付勢される充電スイッチ手段等を採用し、且つ、充電検知手段によって携帯無線機が充電中であることを検出したとき自動的に、又は、手動で局部発振周波数補正手段を起動させるように構成したので、充電する際の環境に応じて、局部発振周波数補正手段の起動を自動／手動のどちらで実行するかを選択できる。従って、基準信号周波数と近似する妨害電波等が存在する場合のように周波数補正処理が好ましくないときは、局部発振周波数補正手段を起動させないことにより、間違った周波数に同期することを防止することができる。
請求項３記載の発明では、請求項１又は２記載の携帯無線機において、その局部発振周波数補正手段は、前記局部発信手段出力信号、又は充電器から受信する基準信号の一方又は両方を逓倍若しくは分周することによって、両者の周波数レンジを一致させる逓倍／分周手段を備えたので、簡単な構成で本発明に係る携帯無線機及び充電器を実施することが可能となる。更に、基準周波数が異なる複数の携帯無線機で一台の充電器を共用する場合等においても、一定の周波数関係であれば、携帯無線機と充電器の組み合わせを自由に行なうことも可能となる。
【００１２】
請求項４記載の発明では、請求項１乃至３の何れか一項に記載の携帯無線機において、その局部発振周波数補正手段は、携帯無線機の局部発振手段（電圧制御発振器）の出力信号を充電器から取得する基準信号に同期させるように構成したＰＬＬ回路を含み、ＰＬＬ回路が同期した状態における前記ループフィルタ出力（周波数制御信号情報）を周波数制御電圧情報メモリ手段に記憶するように構成したので、充電が終了した後も、記憶した周波数制御信号情報に基づいて、正確な局部発振周波数信号を得ることができる。
請求項５記載の発明は、バッテリィに充電電力を発生する充電回路と、携帯無線機の局部発振手段の発振周波数を補正するための基準周波数信号を発生する基準信号発生手段とを備えたので、請求項１乃至４の何れか一項に記載の携帯無線機に内蔵されたバッテリィに充電する際に、正確な基準周波数信号を供給することができる。
【００１３】
請求項６記載の発明では、請求項５記載の充電器において、基準信号発生手段として恒温槽型水晶発振器（ＯＣＸＯ）を採用したので、比較的容易に、正確な基準周波数信号発生源を持った充電器を実現することができる。
請求項７記載の発明は、請求項５又は６記載の充電器において、基準信号発生手段から基準周波数信号を前記携帯無線機に伝達する手段が、微弱無線信号発生手段、充電電流に重畳して送出する手段、充電用端子に直流カット素子を介して供給する手段、基準信号専用端子により供給する手段としたので、具体的に充電器を実現する上で、構成の選択肢が豊富となる。また、これらの手段のいくつか複数を備え、適宜選択することができるように構成すれば、使用する環境に応じて、最適の手段を選択することが可能となる。
【発明を実施するための最良の形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。なお、以下説明する例では、携帯無線機の局部発振器出力を基準信号として説明するが、その信号の周波数を強調する場面では「基準周波数信号」又は「基準信号周波数」と表記する場合があるが、ともに同じものを指すものとする。
図１は、本発明に係る携帯無線機１と充電器２の一実施例を示す外観概要図である。この例では、携帯無線機１は、無線機筐体３の裏側にバッテリィ４がスライド機構あるいは嵌着機構等によって嵌め込まれており、筐体上面にチャネル切換用スイッチ５、アンテナ６が、また側面には送信用のプレス・トーク用・スイッチ（ＰＴＴ）７が付加されている。また、充電器２は、充電器筐体の上面に、携帯無線機１を挿入するための凹部８が設けられており、その底部には携帯無線機１の底部の充電用端子、あるいは必要に応じて設けた信号伝達用端子等に対応する端子が設けられ、図示を省略したＡＣコンセントや電源スイッチ、表示用ＬＥＤ、その他のスイッチ等が備えられている。
【００１５】
図２は、本発明に係る携帯無線機１と充電器２の構成例を示す概要ブロック図である。この例に示す携帯無線機１は、無線機として機能するための送受信部（ＴＲＸ）１０と、周波数補正制御部１１と、携帯無線機内部の基準信号用の高周波信号を発生する局部発振器としてのＶＣ−ＴＣＸＯ（電圧制御型温度補償水晶発振器）１２と、上述したバッテリィ４とを備えている。なお、携帯無線機として通常備えるべき他のブロックについては、本発明に直接関係ないので、図示と説明を省略している。また、充電器２は、充電器として最小限必要な充電回路１３として、ＡＣ電源から供給される交流電力を直流電流に変換して、携帯無線機１が内蔵するバッテリィ４に供給する回路を備えているが、本発明に関連するブロックとして、基準信号発生手段としてＯＣＸＯ（恒温槽型水晶発振器）１４を備えた点が特徴である。
【００１６】
本発明では、このような構成によって携帯無線機１を充電器２に載置して充電する際に、充電器２に備えたＯＣＸＯ１４から携帯無線機１の局部発振信号周波数（携帯無線機の基準信号）と同一周波数を送出する。携帯無線機１において充電器から送出される基準周波数信号をアンテナ６を経由して受信し、内部の局部発振器の出力信号周波数と比較するとともに、両者の周波数誤差情報を周波数補正制御部１１に供給する。周波数補正制御部１１では、この周波数誤差が最小になるように、理想的には零になるようにＶＣ−ＴＣＸＯ１２を制御する。なお、ＯＣＸＯ２からは法的に許容された範囲の微弱な電環強度、例えば国内規定の「３ｍ離れた所で３５μＶ／ｍ以下の電界強度」を越えない範囲で必要最小限のレベルとする。
【００１７】
この処理によれば、ＯＣＸＯ１４の極めて正確な信号周波数に一致した局部発振周波数を得ることができる。この結果得た周波数制御信号の情報を、ＴＲＸ１０又は周波数補正制御部１１に備えた（図示省略）メモリに記憶しておき、充電完了後においても、メモリした情報に基づいて正確な周波数の局部発振出力を得ることができる。なお、携帯無線機１を充電器２の凹陥部８に装着したことを検出し、その検出信号に基づいて周波数比較処理や周波数補正処理、周波数情報の記憶等を行なうことが、誤動作を防止する上で好ましいであろう。そのための充電検知手段としては、種々のものが考えられるが、例えば、充電用の供給電圧は通常のバッテリィ電圧よりも高い値となるので、その上昇を検知するバッテリィ電圧検知手段であってもよい。通常、充電処理において、過充電とならないように、バッテリィ電圧の監視や、充電電流の積算量を算出する処理等が行なわれるので、その処理をバッテリィ電圧監視のために利用すればよい。あるいは、バッテリィの電圧そのものの監視が困難な場合は、バッテリィ充電用端子への印加電圧の有無を検知する充電電圧検知手段であってもよい。
更には、充電器２の凹陥部８の適所に磁石片を付加し、これと対峙するように携帯無線機１の所定位置に磁石に反応するリードスイッチを内蔵した、磁性部材への接近検出手段であってもよい。あるいは、充電器の凹陥部８の底部に設けた凸部によって携帯無線機１の底部に付加したスイッチが付勢されるような充電スイッチ手段を備え、これらの充電検知手段によって、充電中であることを検知した場合、自動的に局部発振周波数補正手段を起動させるものであっても良いであろう。
【００１８】
なお、使用環境として充電器から送出される基準周波数信号と同一若しくは近似する妨害波や強力なノイズ信号等が存在する場合は、無線による基準信号伝達ができない場合があり得る。その場合、上述した充電検知手段によって携帯無線機が充電中であることを検出したとき自動的に局部発振周波数補正手段を起動させることが好ましくない場合があり得るので、局部発振周波数補正手段を起動させる手動操作スイッチを備えておき、必要に応じて手動で周波数補正手段を起動する手段を併用することが好ましいであろう。
本発明によれば、携帯無線機は頻繁に充電するから、その都度正確な基準周波数信号に一致させることになるので、常に、正確な基準周波数信号を持った携帯無線機を実現することが可能となる。従って、従来のように、周波数ずれによる受信感度低下や、送信電波の周波数ずれを防止する上で極めて大きな効果がある。
【００１９】
以上の実施例では、充電器２から携帯無線機１に基準信号を供給するルートとして、携帯無線機１のアンテナ６を経由する例を示したが、本発明ではこの例に限らず、種々変形が可能である。
即ち、図３は第一の変形実施例を示す概念図である。この例では、充電器２に内蔵したＯＣＸＯ１４を独立した筐体に収納したものであり、この構成によれば、例えば一台のＯＣＸＯから複数の充電中の携帯無線機に基準信号を供給する場合に便利であろう。
図４は更に他の変形実施例を示す概念図である。この例では、上述したように外部に強力な妨害波等が存在する場合に対応できるように、充電器２の内蔵ＯＣＸＯ１４から基準周波数信号伝達用の専用端子１６を介して、携帯無線機１の送受信部１０に伝達するように構成したものである。そのためには、携帯無線機１と充電器２に、信号伝達用の電極端子を設ける必要がある。
図５は、更に他の変形実施例を示す概念図であり、この例では、基準周波数信号専用端子に代えて、充電用端子を利用する例を示している。即ち、充電電流は、僅かながら若干の交流成分を含む場合もあるが、基本的に直流であるので、高周波信号である基準周波数信号を充電用端子に印加しても、不都合は生じない。そこで、図５に示すように直流信号阻止用コンデンサＣ１を介して充電用端子１７にＯＣＸＯ１４の出力信号を印加し、携帯無線機１側では、コンデンサＣ２を介して、基準周波数信号を送受信部１０に供給する。この方法によれば、余分な端子を設ける必要が無く、経済的である。
なお、上述した複数の手段を併用した構成にしておき、必要に応じていずれかの手段を選択できるようにすれば、より一層機能的なものとなろう。
【００２０】
図６は、本発明の携帯無線機１の内部構成例を示すブロック図である。この例によって、充電器２の基準信号発生手段（ＯＣＸＯ）から供給される基準周波数信号に基づいて、携帯無線機１の局部発振器出力信号を補正する一例を説明するもので、携帯無線機１の局部発振器としてＰＬＬ回路を使用する場合を示している。通常、高周波信号発生源やクロック信号発生源として、ＰＬＬシンセサイザ回路を使用する場合が多いので、それらを利用することによって、安価に実現可能である。
図６において、６、１０、１１は既に説明したように携帯無線機１のアンテナ、送受信部、周波数補正制御部であり、その他のブロックは、本発明を実施するために一部を変更した、ＰＬＬ発振回路である。即ち、破線で囲んだブロック２０は上述した充電器２のＯＣＸＯ１４等から供給される基準周波数信号を受信する基準信号受信部（基準信号受信手段）であり、その内部は、アンテナ２１と高周波増幅回路２２とバンドパスフィルタ（ＢＰＦ）２３を備えている。この構成は、通常の受信部の高周波ブロックとほぼ同じものであり、図２乃至図５を用いて説明したように、携帯無線機１の送受信部１０の受信高周波部ブロックを利用するものであってもよい。また、もう一方の破線３０にて囲ったブロックは送受信回路１０の基準信号発生源として使用する局部発振部であり、この例では、ＶＣ−ＴＣＸＯ３１とその周波数制御情報（周波数制御電圧情報）を記憶するメモリ（ＭＥＭ）３２を含んでいる。そして、基準信号受信部２０と、局部発振部３０及び、位相比較器（ＰＤ）４０、ループフィルタ（若しくは低域フィルタＬＰＦ）５０、分周器（ＤＩＶ）６０とからＰＬＬ回路を構成している。即ち、基準信号受信部２０の出力信号周波数と、局部発振部３０の出力信号周波数との周波数差、若しくは位相差を位相比較器（ＰＤ）４０によって検出し、その差に応じた直流信号を、ループフィルタ（若しくは低域フィルタＬＰＦ）５０により抽出するとともに、その直流信号をＶＣ−ＴＣＸＯの周波数制御信号として供給する。また分周器（ＤＩＶ）６０は可変分周器で、その分周率を変化させることによって、ＶＣ−ＴＣＸＯ３１から所要の発振周波数を得るように構成されている。なお、局部発振部３０のメモリ（ＭＥＭ）３２は、送受信部１０若しくは周波数補正制御部１１から制御信号が供給され、その時必要な発振周波数がＶＣ−ＴＣＸＯ３１から出力されるような制御電圧情報がメモリされているものとする。
【００２１】
この構成において、携帯無線機１が、充電器２の凹陥部に装着され、図示を省略した充電検知手段によって充電中であることが検出されると、充電器２のＯＣＸＯからの基準周波数信号を受信し、その信号周波数を基準信号としてＰＬＬ回路が動作し、最終的にＶＣ−ＴＣＸＯ３１の発振周波数が充電器のＯＣＸＯの周波数信号の位相と一致した状態でロック状態となる。その時の周波数関係は分周器（ＤＥＶ）６０の分周率によって決まる値となるが、周波数の安定度は、基準周波数信号のそれと一致（同期）したものとなるので、極めて正確な周波数に設定される。そして、同期状態における周波数制御電圧情報が、メモリ３２に記憶され、その後のＶＣ−ＴＣＸＯ３１の周波数制御信号生成源として使用される。この構成によれば、充電器に内蔵され若しくは付加されたＯＣＸＯ等の基準周波数信号によって正確に補正された局部発振器出力を得ることが可能となる。
【００２２】
図７は、更に他の変形実施例を示すブロック図であり、この例では、通常の送受信動作の場合は、ＶＣ−ＴＣＸＯ３１に代えて、広い周波数範囲で変更可能なＶＣＯ７０を被比較発振器としたＰＬＬ発振回路として動作させ、そのときの基準信号源としては、図６において説明した局部発振部３０を用いたものである。図７に示したように、例えば三つの切替スイッチＳＷ１、ＳＷ２、ＳＷ３によって、ＰＬＬ回路の基準信号源（局部発振部３０と基準信号受信部２０の出力）と、被比較発振器（ＶＣＯ７０と局部発振部３０）とを入れ替えてＰＬＬ回路を動作させる。即ち、図７に示すように、各スイッチＳＷ１乃至ＳＷ３をａ端子に接続した状態が通常の送受信動作状態であり、ＰＬＬ発振器の基準信号は局部発振部２０の出力で、被比較発振器はＶＣＯ７０となるのに対し、各スイッチ端子としてｂ端子が選択された場合は、ＰＬＬ発振器の基準信号は基準信号受信部２０の出力、即ち、充電器のＯＣＸＯから供給される基準周波数信号となり、被比較発振器が局部発振部３０となる。この構成によれば、広い周波数範囲の可変や、大きなデビエーションが必要な場合に有利な、ＶＣＯを使用してＰＬＬ発振回路を構成することが可能となる。
【００２３】
なお、周波数補正手段としては、この例に限る必要はなく、デジタル処理によって、充電器のＯＣＸＯ等から供給された基準周波数信号と、携帯無線機の局部発振器出力信号との誤差情報に基づいて、その差が極力小さくなるように携帯無線機の局部発振器（基準発振器）を制御すればよい。特に、近年デジタル無線方式が多く採用されるようになったので、デジタル信号処理のためにＣＰＵや各種メモリ、ＤＳＰ等を搭載した携帯無線機が多く普及しているので、本発明を実施する際に、ＯＣＸＯ等の高安定度発振器を必要とする以外には、特別の回路を必要としないであろう。
また、特許文献１に示した同一出願人になる発明「通信装置、移動電話装置、発振信号生成装置、通信方法および発振信号生成方法」はデジタル変調方式に適応した周波数補正手段が開示されているので、本発明を実施するに参照する上で有用であろう。
【００２４】
本発明の実施に際しては上述した実施例に限定することなく種々変形が可能であることは云うまでもない。例えば、携帯無線機としては送受信機能を有するものの他、受信機能のみの携帯無線機にも適用可能である。更に、送信機能のみを有するものにも適用可能であるが、その際は充電器から伝達される基準周波数信号を受信する簡単な受信機能は必要である。また、基準周波数信号発生源としては、ＯＣＸＯの他にも、電波時計信号や人工衛星からの電波等、正確に周波数制御された電波や、その他ネットワーク等を介して供給される、クロック信号を取得して利用することもできる。その場合、夫々の電波を受信するブロックを充電器に組み込めばよく、これらの基準周波数信号として利用できる受信手段を複数組み込んでおき、適宜選択して入手可能なものを利用できるように構成することも有用であろう。
【００２５】
また、充電器に携帯無線機を接続してバッテリィに充電する際の方法として、充電器筐体の凹陥部に携帯無線機を挿入する他に、携帯無線機に付した同軸型の充電電力供給端子に、充電器から伸びたケーブルの先端部のプラグを差し込んで充電する形式のものも存在するが、その場合には、図３、図５によって説明したように、微弱電波によってＯＣＸＯ等の基準信号を伝達する方法や、充電用端子に基準周波数信号を重畳する方法を利用すれば、同様に本発明を実施することができる。また、その際の充電検知手段としては、携帯無線機の充電端子への電圧印加の有無検出や、バッテリィ電圧の上昇を検出する手段を用いればよいであろう。
更に、本発明を実施する上で必要な処理部分を、プログラムとして実現しておけば、ＣＰＵやメモリを備えた無線機にインストールすることによって、ソフトウエア的に実現することも可能であろう。
【図面の簡単な説明】
【００２６】
【図１】本発明に係る携帯無線機を充電器に装着した状態の一例を示す外観概要図。
【図２】本発明に係る携帯無線機と充電器の回路構成例を示す概要ブロック図。
【図３】本発明に係る携帯無線機と充電器の変形実施例を示す概要ブロック図。
【図４】本発明に係る携帯無線機と充電器の変形実施例を示す概要ブロック図。
【図５】本発明に係る携帯無線機と充電器の変形実施例を示す概要ブロック図。
【図６】本発明に係る携帯無線機の他の実施態様例を示す概要ブロック図。
【図７】本発明に係る携帯無線機の他の実施態様例を示す概要ブロック図。
【図８】従来の携帯無線機の構成例を示す概要ブロック図。
【図９】従来の携帯無線機の局部発振器の周波数調整方法を示す概念図。
【符号の説明】
【００２７】
１  携帯無線機、２  充電器、３  携帯無線機筐体、４  バッテリィ、５  チャネル切換スイッチ、６、１５、２１  アンテナ、７  ＰＴＴスイッチ、８  充電器の凹陥部、１０  送受信部（ＴＲＸ）、１１  周波数補正制御部、１２、３１  ＶＣ−ＴＣＸＯ、１３  充電回路、１４  基準信号発生手段（ＯＣＸＯ）、１６  基準周波数信号専用端子、１７  充電用端子、２０  基準信号受信部、２２  高周波増幅部、２３  バンドパスフィルタ、３０  基準信号発生源（局部発振器）、３２  メモリ（ＭＥＭ）、４０  位相比較器（ＰＤ）、５０  ループフィルタ（ＬＰＦ）、６０  分周器（ＤＥＶ）、７０  ＶＣＯ、ＳＷ１、ＳＷ２、ＳＷ３  切換スイッチ
【図１】
2008187542.tif 000003
【図２】
2008187542.tif 000004
【図３】
2008187542.tif 000005
【図４】
2008187542.tif 000006
【図５】
2008187542.tif 000007
【図６】
2008187542.tif 000008
【図７】
2008187542.tif 000009
【図８】
2008187542.tif 000010
【図９】
2008187542.tif 000011